(57)【要約】【課題】  クッションの着脱、交換が容易で、しかもクッションが洗濯に適しており、また、密封性が確保でき、さらに、フレームとクッションとの固定を確実にし、転倒などの衝撃時におけるクッションの脱落又はズレを防止することが可能となるゴーグルを提供すること。【解決手段】  この発明のゴーグルは、ゴーグル本体のフレーム１の顔当たり面２にクッション３を設けたゴーグルであって、前記クッション３は、フレーム１の顔当たり面２の全周ないしほぼ全周にわたる形状で、フレーム１に着脱自在であるものとしている。【選択図】  図７
2005211259.tif 000002
【特許請求の範囲】
【請求項１】
ゴーグル本体のフレーム（１）の顔当たり面（２）にクッション（３）を設けたゴーグルであって、前記クッション（３）は、フレーム（１）の顔当たり面（２）の全周ないしほぼ全周にわたる形状で、フレーム（１）に着脱自在であることを特徴とするゴーグル。
【請求項２】
フレーム（１）又はクッション（３）にクッション（３）の脱落防止手段（４）を設けている請求項１記載のゴーグル。
【請求項３】
脱落防止手段（４）が、クッション（３）の左右両側に設けられ、フレーム（１）の左右両端部を通すようにしたストラップである請求項２記載のゴーグル。
【請求項４】
脱落防止手段（４）が、フレーム（１）の左右両端部に設けられたフック（５）で引っ掛けることができるようにしている請求項３記載のゴーグル。
【請求項５】
クッション（３）が、スポンジフォーム（６）に保護板（７）を固定したものを、生地（８）で包んだものである請求項１、２、３又は４記載のゴーグル。
【請求項６】
フレーム（１）の顔当たり面（２）の全周ないしほぼ全周と、クッション（３）の前記顔当たり面（２）に対向する面（９）の全周ないしほぼ全周に、一対の面ファスナー（１０）（１１）を設けたものとしている請求項１、２、３又は４記載のゴーグル。
【請求項７】
フレーム（１）の顔当たり面（２）の全周ないしほぼ全周と、クッション（３）の前記顔当たり面（２）に対向する面（９）の全周ないしほぼ全周に、一対の面ファスナー（１０）（１１）を設けたものとしている請求項５記載のゴーグル。
【請求項８】
フレーム（１）の顔当たり面（２）と、クッション（３）の前記顔当たり面（２）に対向する面（８）に、それぞれ穴（１２）とこの穴（１２）に係合する突起（１３）を適宜間隔で複数個ずつ設けたものとしている請求項１、２、３又は４記載のゴーグル。
【請求項９】
フレーム（１）の顔当たり面（２）と、クッション（３）の前記顔当たり面（２）に対向する面（８）に、それぞれ穴（１２）とこの穴（１２）に係合する突起（１３）を適宜間隔で複数個ずつ設けたものとしている請求項５記載のゴーグル。
【請求項１０】
クッション（３）に、フレーム（１）の顔当たり面（２）の外周側に被さるようにした外被部（１４）を設けている請求項１、２、３、又は４記載のゴーグル。
【請求項１１】
クッション（３）に、フレーム（１）の顔当たり面（２）の外周側に被さるようにした外被部（１４）を設けている請求項５記載のゴーグル。
【請求項１２】
クッション（３）に、フレーム（１）の顔当たり面（２）の外周側に被さるようにした外被部（１４）を設けている請求項６記載のゴーグル。
【請求項１３】
クッション（３）に、フレーム（１）の顔当たり面（２）の外周側に被さるようにした外被部（１４）を設けている請求項７記載のゴーグル。
【請求項１４】
クッション（３）に、フレーム（１）の顔当たり面（２）の外周側に被さるようにした外被部（１４）を設けている請求項８記載のゴーグル。
【請求項１５】
クッション（３）に、フレーム（１）の顔当たり面（２）の外周側に被さるようにした外被部（１４）を設けている請求項９記載のゴーグル。
【発明の詳細な説明】
【技術分野】
【０００１】
この発明は、スキーやスノーボード、オートバイ等のモータースポーツ、カヌー等のウォータースポーツ、工場での防塵等の目的などで使用するゴーグルに関するものである。
【背景技術】
【０００２】
スキーやスノーボード、オートバイ等のモータースポーツ、カヌー等のウォータースポーツ、工場での防塵等の目的などで使用するゴーグルは、本体のフレームの顔当たり面にクッションを設け、使用者の顔面に柔らかく接触してフィット感がよくなるようにしている。
【０００３】
ところで従来のこの種のゴーグルでは、一般的にクッションは本体のフレームに接着剤を用いて固定されており、着脱できるものではないが、特許文献１に記載のゴーグルのように、外面に突起を有する板状のキャリアストリップの内面にスポンジ片を接着してなるクッションを、フレームの顔当たり面に設けた穴に前記突起を係合させることにより、着脱自在にしたものがあった。
【０００４】
しかし、この特許文献１に記載のゴーグルにおいては、前記クッションは使用者の額部に接触する部分と、頬部に接触する部分の２つに分かれた構成となっており、前記両部分を一体に取り扱うことができないため、着脱、交換が面倒であった。
【０００５】
しかも、クッションは、キャリアストリップとこれに接着されたスポンジ片からなるため、洗濯しようとすると、キャリアストリップが破損したりキャリアストリップとスポンジ片が分離したりする恐れがあり、洗濯に適さないものであった。
【０００６】
また、フレームの左右の側部（こめかみに接触する部分）には、クッションが存在しないため、必要以上に空気の出入りが生じ、密封性が確保できなかった。
【０００７】
さらに、フレームとクッションとの係合は、前記穴と突起、又はＦｉｇ．５に表されているようなフレームとキャリアストリップに設けられた一対の面ファスナーによるものであり、いずれもフレームの顔当たり面とこれに対向するキャリアストリップの外面に設けられた係合手段のみで係合させているだけであり、フレームとクッションとの固定が確実ではなく、転倒などの衝撃時においてクッションの脱落又はズレが生じる恐れがあった。
【特許文献１】米国特許第６０９４７５１号明細書
【発明の開示】
【発明が解決しようとする課題】
【０００８】
そこで、この発明は、クッションの着脱、交換が容易で、しかもクッションが洗濯に適しており、また、密封性が確保でき、さらに、フレームとクッションとの固定を確実にし、転倒などの衝撃時におけるクッションの脱落又はズレを防止することが可能となるゴーグルを提供することを課題とする。
【課題を解決するための手段】
【０００９】
前記課題を解決するため、この発明は次のような技術的手段を講じている。
【００１０】
この発明のゴーグルは、ゴーグル本体のフレーム１の顔当たり面２にクッション３を設けたゴーグルであって、前記クッション３は、フレーム１の顔当たり面２の全周ないしほぼ全周にわたる形状で、フレーム１に着脱自在であるものとしている。
【００１１】
このゴーグルは、フレーム１又はクッション３にクッション３の脱落防止手段４を設けたものとすることができる。脱落防止手段４は、クッション３の左右両側に設けられ、フレーム１の左右両端部を通すようにしたストラップとすることができ、さらに、フレーム１の左右両端部に設けられたフック５で引っ掛けることができるようにしたものとすることができる。
【００１２】
クッション３は、スポンジフォーム６に保護板７を固定したものを、生地８で包んだものとすることができる。
【００１３】
また、フレーム１の顔当たり面２の全周ないしほぼ全周と、クッション３の前記顔当たり面２に対向する面９の全周ないしほぼ全周に、一対の面ファスナー１０，１１を設けたものとすることができる。
【００１４】
フレーム１の顔当たり面２と、クッション３の前記顔当たり面２に対向する面９に、それぞれ穴１２とこの穴１２に係合する突起１３を適宜間隔で複数個ずつ設けたものとすることもできる。
【００１５】
さらに、クッション３にフレーム１の顔当たり面２の外周側に被さるようにした外被部１４を設けたものとすることができる。
【発明の効果】
【００１６】
この発明のゴーグルは、上述のような構成を有しており、クッション３がフレーム１の顔当たり面２の全周ないしほぼ全周にわたる形状の単体のものであるため、着脱、交換が容易で、クッション３を適宜の厚みや色彩のものに取り替えることができ、しかも洗濯も容易で、また、高い密封性を確保することができる。
【００１７】
フレーム１又はクッション３にクッション３の脱落防止手段４を設けたものとすれば、転倒などの衝撃時におけるクッション３の脱落又はズレを防止することが可能となる。脱落防止手段４は、クッション３の左右両側に設けられ、フレーム１の左右両端部を通すようにしたストラップとして実施することが可能で、さらに、フレーム１の左右両端部に設けられたフック５で引っ掛けることができるようにしたものとすれば、よりクッション３の脱落又はズレの防止機能が高まる。
【００１８】
クッション３は、スポンジフォーム６に保護板７を固定したものを、生地８で包んだものとすることにより、着脱時や洗濯時における変形や破損が防止される。
【００１９】
また、フレーム１の顔当たり面２の全周ないしほぼ全周と、クッション３の前記顔当たり面２に対向する面９の全周ないしほぼ全周に、一対の面ファスナー１０，１１を設けたり、フレーム１の顔当たり面２と、クッション３の前記顔当たり面２に対向する面９に、それぞれ穴１２とこの穴１２に係合する突起１３を適宜間隔で複数個ずつ設けたりすることにより、クッション３をフレーム１に着脱自在とすることができる。
【００２０】
さらに、クッション３にフレーム１の顔当たり面２の外周側に被さるようにした外被部１４を設けることにより、ゴーグル内への風雪や塵等の侵入を防止することができる。
【発明を実施するための最良の形態】
【００２１】
以下、この発明の好適な実施形態を、図面を参照して説明する。
【００２２】
図１はこの発明の実施形態のゴーグルの正面図、図２はこのゴーグルの使用状態における縦断面を示す説明図、図３はクッション３の斜視図、図４はクッション３における保護板７を設けた範囲を示す説明図、図５はフレーム１からクッション３を取り外した場合の縦断面を示す説明図、図６はフレーム１にクッション３を装着した場合の側面図、図７はフレーム１にクッション３を装着した場合の側面図、図８はフレーム１にクッション３を装着した場合の側面図、図９はこのゴーグルの（ａ）クッション３の厚みを薄くした場合と（ｂ）クッション３の厚みを厚くした場合の使用状態における横断面を示す説明図、図１０はこの発明の他の実施形態のゴーグルの、フレーム１にクッション３を装着した場合の縦断面を示す説明図である。なお、図７〜９において、ヘッドバンド１５は図示を省略している。
【００２３】
この発明のゴーグルは、図１、図２に示したように、ゴーグル本体のフレーム１の顔当たり面２にクッション３を設けたゴーグルであって、前記クッション３は、フレーム１の顔当たり面２の全周ないしほぼ全周にわたる形状で、フレーム１に着脱自在であるものとしている。
【００２４】
図示したゴーグルはスキー用ゴーグルとしており、ゴーグル本体は、使用者の眉毛付近から頬や鼻にかけての部分を囲むフレーム１と、このフレーム１に嵌め込まれたゴーグルレンズ１６とからなり、前記フレーム１の左右にはヘッドバンド１５が連結されている。図示したゴーグルレンズ１６は一眼式となっているが、２眼式であってもよい。
【００２５】
クッション３は、図３に示したように、フレーム１の顔当たり面２の全周にわたる形状で、スポンジフォーム６に合成樹脂製の保護板７を固定したものを、生地８で包んで縫製したものとしている。この実施形態では、クッション３は前記顔当たり面２の全周にわたる輪状となっているが、前記顔当たり面２のほぼ全周にわたる形状であれば一部が途切れた形状であってもよい。一部が途切れた形状である場合は、前記途切れた部分に生じる隙間ができるだけ小さくなるようにすることが望ましい。
【００２６】
スポンジフォーム６は、ウレタン発泡材からなり、断面略四角形状としている。保護板７は、ポリエチレン製としており、図４の点線で示した範囲に設けられるような形状としている。保護板７は、スポンジフォーム６のフレーム１に対面する側の面に接着されて固定されており、クッション３の上端部（使用者の額部に当たる部分）においては、図５、図６に表れているように、その上部がスポンジフォーム６より突出する態様となっている。
【００２７】
スポンジフォーム６を包む生地８は、スポンジフォーム６の周面を囲みその一面が使用者の顔面に当たる生地８ａと、縁取用生地８ｂから構成されている。生地８は、吸水速乾性に優れた合成繊維からなるものとするとよいが、特にこれに限定されない。
【００２８】
前記生地８ａは、保護板７のフレーム１に対面する側の面の上端から保護板７とスポンジフォーム６とを包み、保護板７の前記フレーム１に対面する側の面の反対側の面にまで達し、保護板７の上端付近で両端が開放した状態となっている。
【００２９】
前記縁取用生地８ｂは、前記生地８ａの保護板７の上端付近で両端が開放した部分を覆うようにして、前記生地８ａに縫製により固定されている。
【００３０】
クッション３は、このようなスポンジフォーム６と保護板７を生地８で包んだ構成としているため、着脱時や洗濯時における変形や破損が防止されるようになっている。
【００３１】
フレーム１の顔当たり面２とこれに対向するクッション３の面９の各面の全周ないしほぼ全周には、係合手段として一対の面ファスナー１０，１１が設けられている。フレーム１側に設けられる面ファスナー１０はループ面を有するナイロン製のもので、クッション３側に設けられる面ファスナー１１はフック面を有するポリエステル製のものとしている。
【００３２】
面ファスナーの構造特性上、接続面には間隙が生じる。そのため、間隙から風雪が侵入するのを防ぎ密封性を確保するため、このゴーグルは、クッション３にフレーム１の顔当たり面２の外周側に被さるようにした外被部１４を設けたものとしている。
【００３３】
すなわち、図５、図６に表れているように、フレーム１の顔当たり面２全周の外周側と内周側に高さ１ｍｍのリブ１７，１８が形成されている。そして、クッション３の外周側には、前記生地８ａの上端の開放した両側間において、保護板７の外側面に３ｍｍ厚の両面テープ１９が設けられており、それを包み込む形で前記縁取用生地８ｂを縫製することにより、外被部１４を設けている。両面テープ１９はクロロプレンゴム製とすることができる。
【００３４】
そして、前記フレーム１の顔当たり面２の外周側のリブ１７の外側に外被部１４が被さり、面ファスナー１０，１１の接続部分の間隙を覆うことにより、ゴーグル内への風雪や塵等の侵入を防止するようになっている。
【００３５】
フレーム１とクッション３の係合方法としては、図１０に示したような、フレーム１の顔当たり面２と、クッション３の前記顔当たり面２に対向する面９に穴１２と突起１３を設け、穴１２に突起１３を差し込んでフレーム１とクッション３を固定するようにしたはめ込み方式のものとすることができる。この場合、フレーム１側には複数の穴１２を適宜間隔で設け、クッション３側には穴１２と同数の突起１３を前記穴１２と同じ間隔で取り付けるとよい。
【００３６】
図１０に示したものにおいては、前記突起１３の先端部を穴１２の径よりも大きな球状とし、穴１２を変形させ突起１３の先端部を貫通させて固定させるようにしているが、この構成に限定されない。また、前記穴１２はフレーム１を貫通するものであってもよい。
【００３７】
クッション３の左右両側には、それぞれフレーム１からの脱落防止手段４を配し、図７、図８に示したように、フレーム１の左右両端部をこの脱落防止手段４に通し、フレーム１の左右両端部に設けられた前方に突出したフック５で引っ掛けることができるようにしている。脱落防止手段４は、クッション３の外面（フレーム１の顔当たり面２に対向する面９）側の左右両端部付近に両端を固定した合皮製の紐状のストラップとしているが、特にこの構成に限定されない。なお、クッション３の脱落防止手段４は、フレーム１側に設けてもよく、例えば、フレーム１の左右両端部に設けられ、クッション３の左右両端部を通すようにしたストラップとすることができる。脱落防止手段４により、フレーム１とクッション３との固定が確実なものとなり、転倒などの衝撃時におけるクッション３の脱落又はズレが防止される。
【００３８】
クッション３は、以上のような構成であるため、フレーム１に対して着脱が容易であり、破損したり汚れたりしても、交換や洗濯が可能で、常にクッション３を清潔な状態にして使用することが可能である。特に、クッション３に付着した皮脂等の老廃物や女性のファンデーション等の汚れは、洗濯以外の方法では落とすことが困難であるが、このクッション３は、洗濯によりこれらの汚れも容易に落とすことが可能である。
【００３９】
また、クッション３の厚みや反発力を変えることが可能であり、例えばユーザーの鼻の高さ等を考慮した厚みや反発力を有するクッション３を選択することにより、使用者がより優れたフィット感を得られるようにすることが可能になる。
【００４０】
クッション３の厚みは適宜設定することが可能で、厚みを厚くしてゴーグルレンズ１６と使用者の画面との距離を長くすることにより、使用者が、眼鏡を掛けた状態でゴーグルを装着することが可能になる。図９の（ａ）では、クッション３の厚みが薄いために、ゴーグルレンズ１６の使用者の顔面からの距離が近く、ゴーグルレンズ１６と眼鏡２０が接触するが、同図（ｂ）のように、クッション３の厚みを厚くすると、ゴーグルレンズ１６の使用者の顔面からの距離が遠くなり、ゴーグルレンズ１６と眼鏡２０が接触せず、眼鏡２０を掛けたままゴーグルを装着することが可能となる。
【００４１】
また、クッション３の生地８を変えることでクッション３の通気性能を調整でき、気候や発汗量に応じたクッション３選択が可能になる。通気性能を調整可能とした点は、特にバイクの乗車用ゴーグル等に適している。
【００４２】
このゴーグルは、クッション３が破損したり汚れたりした場合でも交換できるため、スキー場等でのレンタル使用に適している。また、古くなったクッション３を交換すれば、ゴーグルを永く使うことができる。さらに、クッション３の生地８に染色生地を使用すれば、フレーム１に合わせたカラーリングが可能で、見た目にも優れたものとすることが可能である。
【産業上の利用可能性】
【００４３】
スノーゴーグル（スキー、スノーボード、雪掻き作業など）、モータースポーツゴーグル（バイク、バギーなど）、ウォータースポーツゴーグル、工場での防塵等の目的で使用する産業用ゴーグル等として実施することが可能である。
【図面の簡単な説明】
【００４４】
【図１】この発明の実施形態のゴーグルの正面図である。
【図２】ゴーグルの使用状態における縦断面を示す説明図である。
【図３】ゴーグルのクッションの斜視図である。
【図４】クッションにおける保護板を設けた範囲を示す説明図である。
【図５】フレームからクッションを取り外した場合の縦断面を示す説明図である。
【図６】フレームにクッションを装着した場合の縦断面を示す説明図である。
【図７】フレームからクッションを取り外した場合の側面図である。
【図８】フレームにクッションを装着した場合の側面図である。
【図９】ゴーグルの使用状態における横断面を示す説明図である。
【図１０】この発明の他の実施形態のゴーグルの、フレームにクッションを装着した場合の縦断面を示す説明図である。
【符号の説明】
【００４５】
１  フレーム
２  顔当たり面
３  クッション
４  脱落防止手段
５  フック
６  スポンジフォーム
７  保護板
８  生地
９  顔当たり面に対向する面
１０，１１  面ファスナー
１２  穴
１３  突起
１４  外被部
【図１】
2005211259.tif 000003
【図２】
2005211259.tif 000004
【図３】
2005211259.tif 000005
【図４】
2005211259.tif 000006
【図５】
2005211259.tif 000007
【図６】
2005211259.tif 000008
【図７】
2005211259.tif 000009
【図８】
2005211259.tif 000010
【図９】
2005211259.tif 000011
【図１０】
2005211259.tif 000012